(57)【要約】      （修正有）【課題】外部エネルギーの往復運動を利用し、コイルに誘導電流を発生させる発電方法とその電気エネルギーで点灯する装置を提供する。【解決手段】コイルに誘導電流を発生させるマグネットに引っ張りバネ等の伸縮性の物を取り付けて移動部を形成し、この移動部のマグネットに吸引力を与えるマグネット等を固定して固定部を形成し、吸引力により近づいた移動部のマグネットを、固定部のマグネットより切り離すように引っ張りバネ等を移動し、両マグネットの吸引力より引っ張りバネ等の収縮力が上回った瞬間、移動部のマグネットを瞬時に移動させてコイルに流れる瞬間的な電気を取得し、又、両マグネットを近づけて、両マグネットの吸引力により移動部のマグネットを瞬時に移動させて電気を取得できる装置とその電気で点灯する発光ダイオード３等を扉１に取り付けて動作させ、その扉１の開閉を事前に感知できることを特徴とした扉開閉予告装置４０。【選択図】図１
2015126654.tif 000002
【特許請求の範囲】
【請求項１】
コイルに誘導電流を発生させるマグネットをパイプに入れ、そのパイプの外側にコイルを取り付け、外部より振動等の力を加えパイプ内のマグネットを移動させて、コイルに誘導電流を発生させる振動発電において、コイルに誘導電流を発生させるマグネットにワイヤーや引っ張りバネ、又はゴム等の伸縮性のものを接続して一方のパイプ端より外へ出して移動部を形成し、一方で同一パイプ内のその移動部のマグネットに吸引力を与えるマグネット又は磁性体部品をパイプの片側端へ固定して固定部を形成し、外部エネルギーの変化により移動部のマグネットを、固定部のマグネット又は磁性体部品より切り離すように徐々にワイヤーや引っ張りバネ、又はゴム等の伸縮性のものを移動し、移動部のマグネットと固定部のマグネット又は磁性体部品の吸引力より、移動部のマグネットに接続された引っ張りバネ、又はゴム等の収縮力が上回った瞬間、移動部のマグネットを瞬時に移動させて外側のコイル内を移動し、コイルに流れる瞬間的な高い電気エネルギーを取得する発電方法。
【請求項２】
請求項１記載の振動発電の発電方法において、外部エネルギーの変化により、移動部のマグネットを固定部のマグネット又は磁性体部品に近づけて、両マグネットの吸引力により移動部のマグネットを瞬時に移動させ、その瞬間的移動により外側のコイルに流れる電気エネルギーを取得する発電方法。
【請求項３】
コイルに誘導電流を発生させるマグネットにワイヤーや引っ張りバネ、又はゴム等の伸縮性のものを接続して一方のパイプ端より外へ出して移動部を形成し、一方で同一パイプ内のその移動部のマグネットに吸引力を与えるマグネット又は磁性体部品をパイプの片側端へ固定して固定部を形成し、外部エネルギーの変化により移動部のマグネットを、固定部のマグネット又は磁性体部品より切り離すように徐々にワイヤーや引っ張りバネ、又はゴム等の伸縮性のものを移動し、移動部のマグネットと固定部のマグネット又は磁性体部品の吸引力より、移動部のマグネットに接続された引っ張りバネ、又はゴム等の収縮力が上回った瞬間、移動部のマグネットを瞬時に移動させて外側のコイル内を移動し、コイルに流れる瞬間的な高い電気エネルギーを取得でき、又、移動部のマグネットを固定部のマグネット又は磁性体部品に近づけて、両マグネットの吸引力により移動部のマグネットを瞬時に移動させ、その瞬間的移動により外側のコイルに流れる電気エネルギーを取得できる装置とその電気エネルギーで点灯する装置を有し、それらの装置を扉に取り付けて移動部を動作させ、その扉の開閉を事前に感知できることを特徴とした扉開閉予告装置。
【請求項４】
コイルに誘導電流を発生させる移動部のマグネットにワイヤーや引っ張りバネ、又はゴム等の伸縮性のものを接続してそれらをパイプの外側へ出した移動部のマグネットと、それと吸引しあう固定部のマグネット又は磁性体部品の間隔の調整や吸引力の調整、移動部のマグネットの移動速度や停止位置及び引っ張りバネの収縮力の調整、及びパイプ内にある部品の交換等が行なえるように、パイプの片側、或は両端にネジ等の調整機能を設けたことを特徴とした請求項３の扉開閉予告装置。
【請求項５】
コイルに誘導電流を発生させるマグネットをパイプに入れ、そのパイプの外側にコイルを取り付け、外部より振動等の力を加えパイプ内のマグネットを移動させて、コイルに誘導電流を発生させる振動発電において、コイルに誘導電流を発生させるマグネットがコイル内を移動できるようにして固定部を形成し、移動部のマグネットを移動して近づけることにより、固定部のマグネットに反発又は吸引する磁力を加え、両マグネットの接近時に固定部のマグネットがコイル内を瞬時に移動し、その瞬時の移動速度によりコイルに流れる高い電気エネルギーを取得する発電方法。
【請求項６】
請求項５記載の振動発電の発電方法において、移動部に設けたマグネットが移動して遠ざかり両マグネットの磁界が弱まることで、固定部のマグネットに接する伸縮性のバネやゴム等の伸縮力、或は固定部のマグネットに反発を与える板バネやマグネット、クッション等の反発力により、固定部のマグネットが瞬時にコイル内を通って移動し、移動部の動きが低速でも固定部のマグネットの瞬時の移動速度により、その瞬間流れるコイルからの高い電気エネルギーを取得する発電方法。
【請求項７】
請求項５又は６記載の振動発電方法において、コイル内を移動してコイルに誘導電流を発生させるマグネットを有する固定部に、移動部のマグネットを移動して近づけることにより、固定部のマグネットに反発又は吸引する磁力を加え、両マグネットの接近時に固定部のマグネットがコイル内を瞬時に移動し、その瞬間的移動により外側のコイルに流れる電気エネルギーを取得でき、又移動部に設けたマグネットが移動して遠ざかり両マグネットの磁界が弱まることで、固定部のマグネットに接する伸縮性のバネやゴム等の伸縮力、或は固定部のマグネットに反発を与える板バネやマグネット、クッション等の反発力により、固定部のマグネットが瞬時にコイル内を通って移動し、移動部の動きが低速でも固定部のマグネットの瞬時の移動速度により、その瞬間流れるコイルからの高い電気エネルギーを取得する発電方法を利用した装置を扉に装着して移動部を動作させ、その電気エネルギーで発光ダイオード等を点灯し、その扉の開閉を事前に感知できることを特徴とした扉開閉予告装置。
【発明の詳細な説明】
【技術分野】
【０００１】
本発明は、コイルに誘導電流を発生させるマグネットをパイプに入れ、そのパイプの外側にコイルを取り付け、パイプ内のマグネットを移動してコイルに電気を発生させる振動発電の発電方法とそれを用いた扉開閉予告装置に関するものである。
【背景技術】
【０００２】
扉を開ける際に、ボタンを押してブザーを鳴らし、或は照明器具を点灯させるものがあるが、いずれも電池や商用電源を利用して駆動させている。
【０００３】
ブザーや照明を電池駆動で行う物は、電池の交換が必要なだけではなく、ＬＥＤを点滅させる為の制御回路が必要になり、又、家庭用の商用電源を利用するものは、配線をしなければならない。
【０００４】
電池を内蔵した物で、ボタンを押してブザーを鳴らし、又、照明する物は、その動作効果を維持する為には、常に安定した電力を供給しなければならず、電池の電力が落ち始めた段階で交換しないと効力が落ちてしまい、又、開き扉等は取り付け場所にもよるが、頻繁に開け閉めする物ではなく、長時間の放置状態も考えられ、電池の自己放電が絶えず進んでいる。
【０００５】
家庭用の商用電源を利用し、同様に扉の照明やブザーを鳴らし、鍵穴の照明等を行なう物も市販されているが、電線の這わせ方や部品取り付け等、時間や費用がかかり不経済である。
【先行技術文献】
【特許文献】
【０００６】
【特許文献１】特開２０１２−１５７１８４号公報
【特許文献２】特開２０１２−２４９４４２号公報
【特許文献３】特開昭６４−３９２５６号公報
【発明の概要】
【発明が解決しようとする課題】
【０００７】
コイルに誘導電流を発生させるマグネットとそのマグネットに反発力を与えるマグネットを同一パイプ内に納め、更に圧縮バネを取り付けて小さな振動をより大きく振動させ、その振動発電装置を人が手で振って発電する物や、振動発電装置を物体に取り付け、その物体の振動により発電して電力を得るものがある。（特許文献１、２、３参照）
【０００８】
これらは、常時同一方向からの振動により電力を取得し、高い振動回数や振動スピードが必要とされ、又それより得た電力を主に常時使用する装置への電力供給源として考えられている。又、衣服やペット等に電池式の発光装置を取り付ける照明装置もあるが、電池の消耗等により交換しなければならず、コスト高となる。
【０００９】
したがって、本発明の目的はコイルとマグネットを分離することなく、コイル内部で移動部のマグネットが移動するように形成し、外部移動体の移動が単発的で遅い動きでも移動部のマグネットを瞬間的に移動させ、コイルに誘導電流を発生させるようにしたものであり、瞬間的に発生する誘導電流を利用して発光ダイオードを点灯させ、更に別に取り付けたブザー等の外部機器を電池や商用電源を必要としないで動作させるようにする。
【００１０】
これにより、この装置を開き扉に取り付け、ボタンを押す等の行為による移動体の変化により、これに付随する移動部のマグネットを瞬時に移動させて自己発電して発光ダイオードを点灯させ、それを取り付けた扉が開く事を知らせることにより、扉開閉に於ける事故を防ぐようにしたものである。
【課題を解決するための手段】
【００１１】
本発明の発電方法と扉開閉予告装置は、コイルに誘導電流を発生させる移動部のマグネットをパイプ内に納め、そのマグネットに吸引力を与える固定部のマグネットをパイプ下部に取り付け、そのパイプの外側にコイルを取り付けて更に移動部の引っ張りバネと外部エネルギーの変化と組み合わせて発電する機構を構成した装置と、その発電エネルギーで点灯する発光装置等を備えている。
【００１２】
コイルに誘導電流を発生させる移動部のマグネットにワイヤーを接続して、圧縮バネの内部を通過させ、そのマグネットと圧縮バネをパイプ内に納め、そのワイヤーに引っ張りバネを接続し、更に押しボタンを押し始めた時に、その引っ張りバネが伸びるように構成して移動部を形成する。
【００１３】
一方でその移動部のマグネットに吸引力を与えるマグネットをパイプ下部に取り付け、そのパイプの外側にコイルを取り付けて振動発電の固定部を形成する。
移動部の押しボタンを押して引っ張りバネを伸ばしていき、固定部のマグネットと移動部のマグネットの吸引力より、移動部の引っ張りバネの収縮力が上回った瞬間に移動部のマグネットを瞬時に移動させてコイル内を通過させ、その瞬間的移動により外側のコイルに誘導電流を発生させる。
【００１４】
又、移動部のマグネットが上方へ移動した場合において、移動部の押しボタンから手を離すと、パイプ内の圧縮バネの反発力や移動マグネットの自重、両マグネットの吸引力等により、移動部のマグネットは元の位置へ瞬時に戻り、この時外側のコイル内を瞬時に移動する為、再度外側のコイルに逆向きの誘導電流が流れ、これらの発生した誘導電流をブリッジダイオードで整流し、終端の発光ダイオードを点灯する。  
【発明の効果】
【００１５】
本発明の発電方法及び扉開閉予告装置は、ワイヤーと引っ張りバネに連結したパイプ内の移動部のマグネットが、移動部側に形成された外部エネルギーである押しボタンの移動速度にかかわらず瞬時に移動する為、外側のコイルに瞬間的な電気エネルギーを発生させることができ、数個の高照度の発光ダイオードを点灯することができ、更にその他にブザー等の機器を並列に取り付けて動作させることもできる。
【００１６】
それにより、この機構を構成した装置を扉に取り付け、主に外部エネルギーのボタンを押す行為により、ワイヤーに連結された引っ張りバネに伸縮力を与え、それによりワイヤーに連結された移動部のマグネットを瞬時移動させ、その扉の反対側にいる人に扉の開閉予告を知らせることができる。
【００１７】
それ故、この装置に付属器具を取り付けて、発光ダイオードの照射をノブの鍵穴に当たるようにすると、外灯や懐中電灯等、他の照明器具を利用しないで暗い場所での鍵の挿入を用意に行なうこともできるようになる。
【００１８】
これにより、扉の開閉予告の為の発光ダイオードを点灯する為に必要な電池や商用電源の配線は必要なくなり、又、コイルの発電波形がパルスなので発光ダイオードの点灯を点滅させる為の制御回路も必要なくなり、コストを低く抑えることが出来る。
【００１９】
移動部のマグネットがパイプ内の圧縮バネの反発力により、容易に元の位置へ戻れるように、又、移動マグネットのコイルに対する位置調整等を容易に行なえるように、更に、両マグネットの吸引力の調整、移動部のマグネットの移動速度や停止位置等の調整等が行なえるように、パイプの片側、或は両端にネジ等による調整機能を設け、この両端を覆うことができるネジ蓋を取り付ける。  
これにより、製作過程においての調整が容易に行なわれ、又本装置の使用中においても的確な発電、発光調整やパイプ内の部品交換を行なうことが出来る。
【図面の簡単な説明】
【００２０】
【図１】本発明の扉開閉予告装置を開き扉に取り付けた実施例を示した斜視図である。
【図２】本発明の扉開閉予告装置の主にケース内部を示した斜視図である。
【図３】本発明の実施形態における扉開閉予告装置の他の実施形態を示したもので、ワイヤーを引っ張る手段としておもりを利用した斜視図である。
【図４】本発明の実施形態における扉開閉予告装置の他の実施形態を示したもので、ワイヤーを引っ張る手段として固定板を利用した斜視図である。
【図５】本発明の実施形態における扉開閉予告装置の他の実施形態を示したもので、ワイヤーを引っ張る手段としてワイヤー押さえを利用した斜視図である。
【図６】本発明の実施形態における扉開閉予告装置の他の実施形態を示したもので、扉開閉予告装置の振動発電部を有する固定部と引っ張りバネを有する移動部を分離し、扉に穴を開け、扉の両面に各々を取り付けた断面図である。
【図７】本発明の発電方法を利用し、扉開閉予告装置を開き扉に取り付けた実施例を示した斜視図である。
【図８】本発明の発電方法を利用し、扉開閉予告装置を開き扉に取り付けた実施例の２つのマグネットが接近した斜視図である。
【図９】本発明の発電方法を利用した実施形態における扉開閉予告装置の他の実施形態を示したもので、（Ａ）は固定板に引っ張りバネを取り付けた斜視図であり、（Ｂ）はマグネットに振動棒を取り付けた斜視図である。
【図１０】本発明の発電方法を利用した実施形態における扉開閉予告装置の他の実施形態を示したもので、扉開閉予告装置の振動発電部を有する固定部と、回転するマグネットを有する移動部を分離し、扉の両面に各々を取り付けた断面図である。
【図１１】（Ａ）は本発明の扉開閉予告装置のパイプ内部の断面図であり、（Ｂ）は扉開閉予告装置の他の実施形態を示したパイプ内部の断面図である。
【図１２】（Ａ）は本発明の発電方法を利用した扉開閉予告装置の固定部のパイプ内部の断面図であり、（Ｂ）は本発明の発電方法を利用した扉開閉予告装置の他の実施形態を示した固定部のパイプ内部の断面図である。
【図１３】コイルとブリッジダイオード等の配線及び発光ダイオードを示した回路図である。
【発明を実施するための形態】
【００２１】
以下、本発明に係る発電方法と扉開閉予告装置の好適な実施形態を、図面に従って説明する。
【実施例１】
【００２２】
図１は本発明の扉開閉予告装置の一実施例であり、同図において扉開閉予告装置４０を開き扉１の扉面に取り付け、コンセント３９より電線１０を開き扉の縁を通して扉の反対側まで出し、その先に発光ダイオード３を取り付けて、反対側の扉に固定した斜視図である。
【００２３】
扉開閉予告装置４０の内パイプ１４内の構造は図１１（Ａ）に示すように、内パイプ１４内に発電マグネット２０があり、接続部材１７と連結されている。
その接続部材１７にはワイヤー５が接続され、そのワイヤーは接続部材とネジ蓋２８の間にある圧縮バネの１５の内部を通って図２のように引っ張りバネ２１の片側に連結されており、その引っ張りバネの片側は再度ワイヤー５と連結して、固定ネジ８により、ケース４のベース２４に固定され、移動部を形成している。
【００２４】
一方で図１１（Ａ）に示すように、内パイプ１４内の発電マグネット２０の下部にはクッション１９を挟んで吸引マグネット１８が下側のネジ蓋２８に固定されており、内パイプの外側にはコイル１２が取り付けられて固定部を形成している。
【００２５】
内パイプの上側に取り付けたネジ蓋２８は、回転して移動させることにより圧縮バネ１５の反発力を容易に調整でき、発電マグネットの戻る速さやタイミング等を調整できるようにしてある。
又、下側に取り付けたネジ蓋２８も、回転して移動させることによりコイルに対する発電マグネットの位置を調整でき、前述同様に圧縮バネの反発力も容易に調整でき、発電マグネットの移動距離や戻る速さやタイミング、引っ張りバネの収縮力等の調整及び内パイプ内の部品の交換ができるようにしてある。
【００２６】
尚、使用する引っ張りバネの長さや収縮力、及び圧縮バネの長さや反発力等が均一で、更に、使用する発電マグネット２０や吸引マグネット１８の磁力等が均一な物を使用して振動発電部を組み立てた場合で、動作や位置関係に誤差が無く調整が必要ない時等は、内パイプ１４の両端をネジ加工せず、又、ネジ蓋２８の代わりにネジ無しの蓋を取り付けても良い。
【００２７】
発電マグネット２０と吸引マグネット１８の間には、クッション１９があり、このクッションはスポンジやゴム、スプリング、エアークッション等のもので形成しても良く、両マグネットが移動してぶつかった時の衝撃を吸収し、又、衝撃音を小さくし、更に発電マグネットと吸引マグネットの磁力による吸引力を調整する為等に取り付けられている。
【００２８】
その為吸引マグネットの磁力が小さく、弱い力で発電マグネットとの切り離しが行なわれる場合、又は吸引マグネットの代わりに磁性体の物を利用して発電マグネットとの吸引力が低下した場合等は取り付けなくても良い。
【００２９】
このクッション１９の材質は出来る限り非磁性体の物を利用し、大きさや収縮力、幅等は引っ張りバネ２１の収縮力や圧縮バネ１５の反発力、発電マグネットと吸引マグネットの吸引力、発電マグネットの移動速度、コイルに誘導電流を発生させて終端の発光ダイオードを点灯する個数等を考慮して決められる。
【００３０】
本案による発電マグネット２０と吸引マグネット１８の極性は、互いに吸引しあう極性にしてあり又、ネオジウム磁石を用いている為その磁力は非常に強く、パイプ内で２つの間隔を３０〜４０ミリ程度離しても、両マグネットは吸引しあう。
その為図１１（Ａ）において、圧縮バネ１５が収縮し、発電マグネットが上方へ移動しても、ワイヤー５を緩めると両マグネットは吸引しあい、更に発電マグネットの自重や圧縮バネの反発力等によりクッション１９を挟んで発電マグネットは元の位置に瞬時に戻ることができる。
【００３１】
図２に示すように、内パイプ１４の外側にはコイル１２があり、コイルのボビン１３を接着剤等で内パイプに固定する。
コイルより出た線は、電線１０により、ブリッジダイオード１１、抵抗９を経て発光ダイオード３やブリッジダイオードに並列に接続されたコンデンサー３８やコンセント３９へ接続され、図１３の回路図のように示される。
これにより発電マグネットは内パイプの内部を自由に移動でき、同時にコイル内部を移動し、発電できるようになる。
【００３２】
このコイル１２は図１１（Ａ）に示すようにボビン１３にポリエステル樹脂等で被われた銅線又はエナメル線等を巻いて形成し、内パイプ１４と接着剤等で固定されるが、ネジ蓋２８を移動して引っ張りバネの収縮力や圧縮バネの反発力等を調整する必要がない場合等で、内パイプ両端のネジ加工とネジ蓋のネジ加工も必要ない場合などは、コイル１２と内パイプ１４とを接着剤等で固定せず移動できるようにし、コイル側で発電に適切な位置決めをいつでも行なえるようにても良い。
【００３３】
接続部材１７と発電マグネット２０及び、ネジ蓋２８と吸引マグネット１８の接続方法は互いにネジ加工、又は接着剤等で接続し、更に収縮チューブ等の保護カバーで被い連結しても良く、各々どちらか一方とクッション１９を接続しても良く、或は発電マグネットに引っ張りバネ２１やワイヤー５を直接取り付けられるようにして接続部材を省いてもよく、更にこれらの周りに動きを良くする潤滑剤等と塗布しても良い。
又、ワイヤー５の代わりにチェーンや紐、伸縮性のゴム等、外部エネルギーの変化を移動部の発電マグネットに伝達できる物を使用しても良い。
【００３４】
接続部材やネジ蓋、ボビン、内パイプ、クッション等の材質は出来る限り発電マグネットや吸引マグネットに影響を与えないアルミやプラスチック、ガラス、ゴム等の非磁性体の物を用い、又、ボビンレスコイルを利用して、直接内パイプ１４に取り付けても良く、それにより軽量化と簡略化がはかれる。
【００３５】
これにより、本発明の発電方法を説明すると、図１１（Ａ）に示すように、内パイプ１４内に発電マグネット２０があり、接続部材１７と連結している。
その接続部材１７にはワイヤー５が接続され、そのワイヤーは接続部材とネジ蓋２８の間にある圧縮バネの１５の内部を通って図２のように引っ張りバネ２１の片側に連結されており、その引っ張りバネの片側は再度ワイヤー５と連結して、固定ネジ８により、ケース４のベース２８に固定され、移動部を形成している。
【００３６】
一方で、図１１（Ａ）に示すように、内パイプ１４の下側にもネジ蓋２８が取り付けられ、そのネジ蓋には発電マグネット２０に吸引力の磁界を与える吸引マグネット１８が取り付けられ、内パイプの外側にはコイル１２が取り付けられて、固定部が形成されている。
【００３７】
これにより、ワイヤー５を引っ張ると、引っ張りバネ２１は伸び始める。
更にワイヤーを引っ張っていき、吸引マグネットと発電マグネットの磁力による吸引力より引っ張りバネの収縮力が勝った時、発電マグネットは上方へ瞬時に移動して、外側のコイル内を移動する。
この瞬間コイルには誘導電流が流れ終端の発光ダイオードが点灯し、この動作は、ワイヤーの移動が遅くても瞬時に行なわれる。
【００３８】
外部よりの引張りが停止し、ワイヤーが緩むと、下側のネジ蓋２８に有る吸引マグネットの吸引力や発電マグネットの自重、圧縮バネ１５の反発力等により、ワイヤー５は引き戻され、これと同時に発電マグネットも再度吸引マグネットの方向へ瞬時に移動しコイル内を移動する。
この瞬間コイルには前回と逆向きの誘導電流が流れ、ブリッジダイオード１１の整流により終端の発光ダイオードを再点灯する。
【００３９】
次に、上記本発明の発電方法を用いた扉開閉予告装置の動作を図面に従って説明する。
図１は開き扉１へ扉開閉予告装置４０取り付けた場合で、扉開閉予告装置のケース４のベース２４に接着剤を貼り付け、扉面に固定する。
このベースの固定する方法は、ネジを利用して扉面に固定しても良く、扉が磁性体の場合はベースにマグネットを取り付け、その磁力を利用して扉に固定しても良い。
【００４０】
扉へ取り付けた扉開閉予告装置４０のケース４の正面には、発光ダイオード３と突出した押しボタン６が取り付けられ、又、側面に取り付けられたコンセント３９より電線１０が開き扉１の縁を通って扉の反対側に出て、その先に発光ダイオードが取り付けられている。
【００４１】
このケースの内部構造は図２のようになっており、内パイプ１４上部より出たワイヤー５はプーリー７を通って引っ張りバネ２１に連結され、更にこの引っ張りバネの片側より再度ワイヤーを繋ぎ新たなプーリーを通って固定ネジ８にこのワイヤーを固定する。
図２のように、両プーリー間に押しボタン６が下降してワイヤーが移動し、引っ張りバネを引っ張る構造にして押しボタンを押し始めると、引っ張りバネは伸び始める。
【００４２】
内パイプ１４内の吸引マグネット１８と発電マグネット２０は互いに吸引しあいそのままの状態であるが、更に押しボタンを押して引っ張りバネを引っ張り、吸引マグネットと発電マグネットの磁力による吸引力より引っ張りバネの収縮力が勝った時、発電マグネットは上方へ瞬時に移動して、外側のコイル１２内を移動する。
この瞬間コイルには誘導電流が流れ終端の発光ダイオードが点灯する。この動作は、押しボタンの押す速さが遅くても瞬時に行なわれる。
【００４３】
これにより、図１の押しボタン６を押すと、正面の発光ダイオード３が点灯し、コンセント３９より出た電線１０の先にある扉の反対側に取り付けられた発光ダイオードも点灯し、開き扉１の反対側の人に扉の開閉予告を知らせることができ、扉への接近や注意を促すことができるようになる。
【００４４】
押しボタン６を押すと発電マグネット２０が上方へ移動し、図１１（Ａ）の圧縮バネ１５が収縮し、押しボタンを離してワイヤー５を緩めると、発電マグネット２０と吸引マグネット１８は吸引しあい、更に発電マグネットの自重や圧縮バネの反発力等によりクッション１９を挟んで発電マグネットは元の方向へ瞬時に移動しコイル内を移動する。
この瞬間コイルには前回と逆向きの誘導電流が流れ、ブリッジダイオードの整流により終端の発光ダイオードを再点灯し、これらの配線及び点灯過程は図２と図１３に示される。
【００４５】
図１１（Ａ）では、内パイプ１４の内部に挿入する発電マグネットの形状は円筒形であるが、球状にしても良く、内パイプの形状を多角にし、挿入する発電マグネットを多角柱にしてもよい。
又、両マグネットの吸引力等を調整するクッション１９を利用する代わりに、図１１（Ｂ）のように、吸引マグネット３６をネジ蓋２８の下方へ移動し、調整ネジ３７を利用して、両マグネット間の吸引力を調整しても良い。
【００４６】
コイル１２に発生する電力は、主に発電マグネット２０の磁力と、コイル内を通過するスピード、及びコイルの巻き線数等によるが、発電マグネットの磁力と、コイルの巻き線数、引っ張りバネの引っ張り強度は、扉を取り付ける場所の明るさや、押しボタンの押す早さ等で発光ダイオード３を点灯させることができる値を決めればよい為、抵抗９やコンデンサー３８を省いても良く、発光ダイオードの数を複数にしても良い。
更に図１のコンセント３９より、並列に別の電線を繋ぎ、その電線１０を長くして繋いだ先の発光ダイオードやブザー等を動作させても良い。
【００４７】
前延では図２のように、押しボタンを押してプーリー７と固定ネジ８間のワイヤー５を引っ張り、引っ張りバネを引っ張っているが、押しボタンの先を、縦軸の移動から回転移動に変化させる構造にして、ワイヤー５を巻き取って引っ張りバネを引っ張っても良く、又はギィアやベアリング等を組み合わせて縦軸の移動から横軸の移動に変化させる構造にしてワイヤー５を引っ張り、引っ張りバネを引っ張っても良い。
【００４８】
図２では、発電マグネット２０の移動に引っ張りバネ２１を利用しているが、これの代わりに伸縮性のゴム等を利用しても良く、発電マグネットの磁力が大きい物を利用した場合等、吸引マグネット１８の代わりに磁性体部品を利用しても良く、又、図１１（Ｂ）のように、クッション１９を取り外し、調整ネジ３７を非磁性体物質にして発電マグネット２０との吸引力を調整しても良い。
【００４９】
図１１（Ａ）や図２では、発電マグネット２０側に引っ張りバネを取り付けているが、図１１（Ａ）や図２の下側のネジ蓋２８に引っ張りバネ２１の片側を取り付けて固定し、一方の片側に発電マグネット２０を取り付けて固定部を形成し、ワイヤー５の先の接続部材１７側に吸引マグネット１８を取り付け、ワイヤー５に接続された引っ張りバネを取り除いて移動部を形成して同様の発電をさせても良い。（図示せず）
【００５０】
この場合の動作は、押しボタンを押していくとワイヤー５が引っ張られ、吸引マグネットが上方へ移動し始め、吸引された発電マグネットと接続されている下側のネジ蓋に取り付けられた引っ張りバネも伸び始める。
【００５１】
発電マグネットと吸引マグネットは吸引しあった状態であるが、更に押しボタンを押して、発電マグネットと吸引マグネットの吸引力より、下側のネジ蓋に取り付けられた引っ張りバネの収縮力が勝った瞬間、発電マグネットは下方へ瞬時に移動し、コイル内を移動することにより、コイルには誘導電流が流れ終端の発光ダイオードが点灯する。この動作は、押しボタンの押す速さが遅くても瞬時に行なわれる。
【００５２】
この様に、本発明では発電マグネットが、引っ張りバネの収縮力や吸引マグネットの吸引力等により瞬時に内パイプ１４内を正確に移動でき、その結果外側のコイル１２内を瞬時に移動してコイルに瞬間的な誘導電流を発生させる方法により終端の発光ダイオードを点灯し、又、発電マグネットとコイルの移動開始位置、移動時の軌道が常に同じ状態になり、発電マグネットとコイルの間隔を狭くしたことで発電効率を高め、確実に安定した電力を発生することができる。
【００５３】
これにより、扉開閉予告装置４０を開き扉１に取り付けてボタンを押すと、正面の発光ダイオードと扉の反対側に取り付けた発光ダイオードを点灯させ、反対側にいる人に扉の開閉予告を知らせることができ、又、コンセントに並列にブザーを取り付けて同時に鳴らすこともでき、更に、別の器具を扉に取り付けてノブの鍵穴を照射するようにすると、夜間のカギの挿入を容易に行なうこともできるようになる。
【００５４】
又、開き扉１の片面が日中、日光が入る場所に扉開閉予告装置４０を設置して使用できる場合、太陽光発電パネルを扉等に設置し、その電力を蓄電できる装置を本装置のコイルに並列に繋げ、押しボタンを押したときに、蓄電された電気を発光ダイオード等へ流せるような回路にすると、押しボタンを押している間、発光ダイオード等を点灯、動作させることもできるようになる。
【００５５】
図１１（Ａ）では、内パイプ１４の外側に取り付けてあるコイル１２は１個であるが、発電マグネット２０の移動距離が長い場合、複数個にしてその出力を新たなブリッジダイオードの入力側へ繋ぎ、ブリッジダイオードの出力側を並列に他の出力側と繋ぎ合わせると、より大きな電力を発光ダイオード３へ出力でき、又、新たに接続したブザー等の他の機器を動作させることもできるようになる。
【実施例２】
【００５６】
次に、扉開閉予告装置４０の移動部のワイヤー５を引っ張る手段として、押しボタンを利用しないでワイヤーの先におもりを取り付け、実施例１と同様の動作をさせるようにした実施例を図面に従って説明する。
図３は図１の押しボタン６の代わりに、引っ張りバネ２１の片側のワイヤー５の先におもり２５を取り付けた斜視図である。
【００５７】
実施例１同様、図３の内パイプ１４内の両マグネットは互いに吸引しあい近づいており、発電マグネット２０上方のワイヤー５の先にある引っ張りバネ２１にワイヤーを接続し、更にその先におもり２５を取り付けて移動部を形成する。
この状態で、おもりを下方へ引っ張り始めると、引っ張りバネは伸び始めるが、内パイプ内の吸引マグネット１８と発電マグネットは互いに吸引しあいそのままの状態である。
【００５８】
更におもりを下方へ引っ張って、引っ張りバネを引っ張り、吸引マグネットと発電マグネットの磁力による吸引力より引っ張りバネの収縮力が勝った時、発電マグネットは上方へ瞬時に移動して、外側のコイル内を移動する。
この瞬間コイルには誘導電流が流れ終端の発光ダイオード３が点灯する。この動作は、おもりを下へ引く速さが遅くても瞬時に行なわれる。
【００５９】
おもりを下方へ引っ張ると発電マグネット２０が上方へ移動し、図１１（Ａ）の圧縮バネ１５が収縮し、おもりを離してワイヤー５を緩めると、発電マグネット２０と吸引マグネット１８は吸引しあい、更に発電マグネットの自重や圧縮バネの反発力等によりクッション１９を挟んで発電マグネットは元の方向へ瞬時に移動しコイル内を移動する。
この瞬間コイルには前回と逆向きの誘導電流が流れ、ブリッジダイオードの整流により終端の発光ダイオードを再点灯する。
【００６０】
図３の内パイプ１４内の構造は、実施例１同様、図１１（Ａ）に示すように、両端をネジ加工した内パイプ１４の両端に、同じくネジ加工したネジ蓋２８が取り付けられており、これらの移動により引っ張りバネの強度及びコイル１２に対しての発電位置、発電マグネットの停止位置等を簡単に調整できる。
その他の動作や、取り付け部品、図面の説明内容は実施例１と殆ど同様なので省略する。
【実施例３】
【００６１】
次に、扉開閉予告装置４０のワイヤー５を引っ張る手段として、実施例２の図３のおもりの代わりに固定板２７を、支軸２６を中心に回転させ、その先に接続されたワイヤー５を引っ張り、実施例１と同様の動作をさせるようにした実施例について図面に従って説明する。
図４は実施例２同様、図１の押しボタンの代わりに固定板２７を利用し、その先にワイヤーを固定ネジ８で接続した斜視図である。
【００６２】
図４に示すように、扉開閉予告装置４０のケース４のベース２４に固定板２７に取り付けた支軸２６を固定し、この固定板の先に固定ネジを設け、そのネジに引っ張りバネ２１の片側より出たワイヤー５を接続して移動部を形成する。
【００６３】
実施例１、２同様、内パイプ内の両マグネットは互いに吸引しあい近づいており、発電マグネット２０上方のワイヤー５の先にある引っ張りバネ２１は収縮して、固定板の先端は支軸２６を中心に回転して、引っ張りバネ側に移動している。
この状態で固定板の下方を、支軸２６を中心にケース４側へ回転させると、引っ張りバネは伸び始めるが、内パイプ１４内の吸引マグネット１８と発電マグネット２０は互いに吸引しあいそのままの状態である。
【００６４】
更に固定板を回転させ、引っ張りバネを引っ張り、吸引マグネットと発電マグネットの磁力による吸引力より引っ張りバネの収縮力が勝った時、発電マグネットは上方へ瞬時に移動して外側のコイル内を移動し、この瞬間コイルには誘導電流が流れ終端の発光ダイオードが点灯する。
この動作は、固定板の回転する速さが遅くても瞬時に行なわれ、その他の動作や、取り付け部品、図面の説明内容は実施例２と殆ど同様なので省略する。
【実施例４】
【００６５】
次に、図４の固定板２７の代わりにワイヤー押さえ２９を利用してワイヤー５を引っ張り、実施例１と同様の動作をさせるようにした実施例について図面に従って説明する。
図５は扉開閉予告装置４０のワイヤー５を引っ張る手段として、図１の押しボタンの代わりにワイヤー押さえ２９をノブ２に取り付け、実施例２，３のケース４の反対側よりワイヤーを出し、ワイヤー押さえにワイヤー５をネジ等で固定した斜視図である。
【００６６】
図５に示すように、ケース４内の引っ張りバネ２１の片側よりでたワイヤー５をノブ２に固定されたワイヤー押さえ２９にネジ等で固定して移動部を形成する。
固定されたワイヤー押さえは、ノブを人の手で回すと同調して回転し、その回転に伴ってワイヤー５を引っ張り、これによりケース４内部の引っ張りバネ２１は伸び始めるが、内パイプ１４内の吸引マグネット１８と発電マグネット２０は互いに吸引しあいそのままの状態である。
【００６７】
更にノブを回転させて引っ張りバネを引っ張り、吸引マグネットと発電マグネットの磁力による吸引力より引っ張りバネの吸引力が勝った時、発電マグネットは上方へ瞬時に移動して、外側のコイル内を移動し、この瞬間コイルには誘導電流が流れ終端の発光ダイオードが点灯する。
この動作は、回転するノブの速さが遅くても瞬時に行なわれ、その他の動作や、取り付け部品、図面の説明内容は実施例２、３と殆ど同様なので省略する。
【実施例５】
【００６８】
次に、図１のケース内にある振動発電部の内パイプ１４部分と、ワイヤー５に連結された引っ張りバネ２１と押しボタン６部分の移動部を分離して、各々ケースに入れて扉の反対側に設置し、発電できる実施例について図面に従って説明する。
図６は扉開閉予告装置４０のワイヤー５を引っ張る手段として、図１の開き扉１に穴４１を開け、その部分よりワイヤー５と電線１０を通過させ、扉の両面に設置した発光ダイオード３を点灯させようとした断面図である。
【００６９】
図６に示すように、開き扉１の両面に実施例１の移動部である押しボタン部分と振動発電部である内パイプ１４部分をそれぞれ分離してケース内に収め、引っ張りバネ２１から出たワイヤー５が内パイプ１４内の発電マグネット２０に接続され、引っ張りバネが伸びたときに、ワイヤーを引っ張り、更に発電マグネットを引っ張ることができるように開き扉に穴４１を開け、各々プーリー７を取り付けて調整する。
又、この穴４１より扉両面に設置された発光ダイオード３が点灯できるように電線１０を出して配線する。
【００７０】
動作は、押しボタン６を押すとワイヤー５が引っ張られ、引っ張りバネ２１は伸び始めるが、内パイプ１４内の吸引マグネット１８と発電マグネット２０は互いに吸引しあいそのままの状態である。
【００７１】
更に押しボタンを押して引っ張りバネを引っ張り、吸引マグネットと発電マグネットの磁力による吸引力より引っ張りバネの収縮力が勝った時、発電マグネットは上方へ瞬時に移動して外側のコイル内を移動し、この瞬間コイルには誘導電流が流れ終端の発光ダイオードが点灯する。
この動作は、押しボタンの押す速さが遅くても瞬時に行なわれ、その他の動作や、取り付け部品、図面の説明内容は実施例１と殆ど同様なので省略する。
【００７２】
本実施例において、開き扉１に穴を開けることにより、開き扉１の縁と、この扉に接する柱間に隙間が無い場合でも、実施例１のように扉の縁に沿って電線を這わせることなく、ワイヤーを確実に引っ張り、発光ダイオードを点灯させることが可能となる。
又、実施例２、３、４同様、押しボタン６を利用しないで、おもり２５や固定板２７やワイヤー押さえ２９を利用できる構造にしてワイヤー５を引っ張り、点灯させるようにしても良い。
【実施例６】
【００７３】
図７は本発明のマグネット同士の反発力、又は吸引力を利用した扉開閉予告装置の実施例であり、同図において固定部の振動発電部分と、その内部にあるマグネットに磁界を与え、回転する移動部の移動マグネット部分を扉に取り付け、コンセント３９より電線１０を出した斜視図であり、電線の先の取り付けは実施例１と同様である。
【００７４】
この扉開閉予告装置４０の振動発電部分と接近した移動部のマグネットは図８のように示され、更に内パイプ１４内の内部構造は図１２（Ａ）に示すように、内パイプ１４内に発電マグネット２０があり、そのマグネットとネジ蓋２８の間にはクッション１９がある。
発電マグネット２０の反対側にはネジ蓋２８に取り付けたれた吸引マグネット１８があり、実施例１とは逆の極性にして、両マグネットは反発しあい互いに離れており、内パイプの外側にコイル１２が設けられて固定部を形成する。
【００７５】
実施例１同様、内パイプ１４とネジ蓋２８はネジ加工してあり、発電マグネットの移動距離や両マグネット間の反発力、コイルに対しての発電位置等を調整できるようにしてあり、発電マグネット２０とネジ蓋２８の間にはクッション１９が取り付けられている。
【００７６】
このクッション１９はスポンジやゴム、スプリング、エアークッション等のもので形成しても良く、発電マグネットが移動してぶつかった時の衝撃を吸収し、又、衝撃音を小さくし、更に発電マグネットと吸引マグネットの磁力による反発力を調整する為等に取り付けられている。
その為吸引マグネットの磁力が小さく、弱い力で発電マグネットとの反発が行なわれる場合等、クッション２５は取り付けなくても良い。
【００７７】
実施例１同様、図８のコイル１２から出た電線１０は、ブリッジダイオード１１を経て、抵抗９、発光ダイオード３とコンデンサー３８に並列に接続されたコンセント３９等へ接続され、図１３の回路図のように示される。これにより発電マグネットは内パイプの内部を自由に移動でき、同時にコイル内部を移動でき、発電して発行ダイオードを点灯することができるようになる。
【００７８】
一方で図７に示すように、回転する移動部の中心軸に支軸３２を設け、その軸より固定板３１を取り付けて先端に反発マグネット３０を取り付ける。
固定板の数は基本的に偶数が望ましく、先端に取り付けた反発マグネットの極性は発電マグネット２０に反発力を与える極性にし、支軸３２を中心に固定板が回転するようにして移動部を形成し、ネジや接着剤等を利用して支軸３２を扉に固定する。
又、開き扉１が磁性体の場合、マグネットを追加してネジや接着剤等と併せて、支軸３２を扉に固定しても良い。
【００７９】
移動部の固定板３１の先端に取り付けられた反発マグネット３０と固定部の内パイプ１４内の発電マグネット２０間の距離は、固定板が回転して反発マグネットと発電マグネットが近づいた瞬間、内パイプ１４内を発電マグネットが吸引マグネット１８方向へ移動できるようにし、吸引マグネットの磁力の大きさは、発電マグネットが移動し、コイル１２内を通過して吸引マグネットに近づけるようにし、反発マグネットが遠ざかった場合、瞬時に発電マグネットを元の位置へ移動できるような大きさにする。
【００８０】
又、図８に示すように、反発マグネットと発電マグネットの磁力の調整、発電マグネットと吸引マグネットの磁力の調整や固定板の回転の微調整を容易にできるように内パイプとネジ蓋２８をネジ加工して移動できるようにしても良い。
【００８１】
図１２（Ａ）において、通常、発電マグネット２０は内パイプ１４内の右側にあるが、図７に示すように、移動部の固定板３１が回転すると、固定板に固定された反発マグネット３０が固定部の内パイプ内の発電マグネットに近づき、反発マグネットの磁力と発電マグネットの磁力が互いに反発し始め、反発マグネットの最接近に対し、内パイプ内を発電マグネットが瞬時に移動し、図１２（Ａ）のパイプ右端より左側へ移動し、コイル内を瞬時に通過する。この時コイルには電流が流れ、終端の発光ダイオード３を点灯する。
【００８２】
通常の動きに於いては、固定板が回転して反発マグネットが離れていくと、発電マグネットと反発マグネットの反発力から今度は吸引力の力が生まれ、又、内パイプ左側に取り付けた吸引マグネットの反発力により、発電マグネットは瞬時に内パイプ内を右方向へ移動し、コイル内を通過し、コイルには逆向きの電流が流れ、ブリッジダイオード１１の整流により、終端の発光ダイオード３を再点灯する。
発電マグネットが右側に移動し、次の反発マグネットの接近で再度内パイプの左側に移動して発電し、これを繰り返す。
【００８３】
本発明では発電マグネット２０が反発マグネット３０により、内パイプ１４内を左右に正確に移動できる為、発電マグネットとコイル１２の移動開始位置、移動時の軌道が常に同じ状態になり、発電マグネットとコイルの間隔を狭くすることで発電効率を高めて、安定した電力を発生することができる。
【００８４】
図７において、偶数個取り付けた反発マグネット３０の極性は固定部の発電マグネット２０に対して、すべて反発しあう極性にしてあるが、反発マグネットの極性を反発と吸引する極性に交互にして固定板を回転させると、発電マグネットは吸引、反発を繰り返して内パイプ内を左右に移動でき、内パイプ内の左側に取り付けた、吸引マグネットを省くことができる。
【００８５】
又、発電マグネットの反発移動手段として、図１２（Ａ）の吸引マグネット１８を取り除き、図１２（Ｂ）に示すように、内パイプ１４内の発電マグネット２０に圧縮バネ１６を取り付けて固定部を形成しても良い。
動作は、通常発電マグネットは内パイプ１４の右端にあるが反発マグネットが近づくと反発して圧縮バネが縮んで左側へ移動し、離れて行くと圧縮バネ１６の反発力により瞬時に元の右側へ移動する。
【００８６】
図１２（Ｂ）では、発電マグネットの反発移動手段として圧縮バネ１６を利用しているが、これの代わりに引っ張りバネを利用し、その片側を内パイプの左側のネジ蓋２８に取り付け、もう一方の片側を発電マグネットと連結して固定部を形成し、移動部の反発マグネットの極性を反対にして、両マグネットが吸引するようにすると、固定板３１が回転して反発マグネットが近づくと、引っ張りバネが伸び、発電マグネットは内パイプ１４の右側に移動する。（図示せず）
【００８７】
この場合、通常、発電マグネット２０は引っ張りバネに引っ張られ、コイルの左側にあるが、移動部の固定板３１が回転すると、固定板に固定された反発マグネット３０が固定部の内パイプ内の発電マグネットに近づき、極性が違う反発マグネットの磁力と発電マグネットの磁力が互いに吸引し、反発マグネットの最接近に対し、内パイプ内を発電マグネットが瞬時に移動し、図１２（Ｂ）のコイルの左側より右側へ移動し、コイル内を瞬時に通過する。この時コイルには電流が流れ、終端の発光ダイオード３を点灯する。
【００８８】
更に、固定板が回転して反発マグネットが離れていくと、発電マグネットと反発マグネットの吸引力から今度は反発力の力が生まれ、又、左側のネジ蓋２８に取り付けた引っ張りバネの収縮力により、発電マグネットは瞬時に内パイプ内を左方向へ移動し、コイル内を通過し、コイルには逆向きの電流が流れ、ブリッジダイオード１１の整流により、終端の発光ダイオード３を再点灯する。
【００８９】
図７において、支軸３２に固定板３２全部を被うような円形又は多角のカバーを取り付けて、固定板を手で回転させないで、その固定板の表面を覆った円形又は多角のカバーを手で回転し、固定板を回転しても良い。
又、実施例１と同じように押しボタン６を押して固定板を回転させるようにしても良い。
この場合、支軸３２の部分をギィアやベアリング等で組み合わせ、押しボタンを押すと、その押した縦軸の移動距離に対応して固定板が回転する構造にし、離すと押しボタンが元の定位置に復帰するようにする。（図示せず）
【００９０】
図７の扉開閉予告装置４０に別な器具を取り付けてノブ２の鍵穴を照射する目的等に使用する場合、固定板３１に羽を付け、風が吹いて回転できるようにしておくと、風が吹いた場合、昼夜を問わず鍵穴を照射でき、人の手で回転しても発電して鍵穴等を照射できるようになる。
【００９１】
これらにより、人が固定板３１を回転させると、固定板の回転に伴い、内パイプ内の発電マグネットは左右に何度も移動を繰り返し、コイル内を移動する為、発光ダイオードを複数回点灯させることができ、開き扉１の開閉予告をより確実に反対側の人に知らせることができる。
その他の動作や、取り付け部品、図面の説明内容は実施例１と殆ど同様なので省略する。
【実施例７】
【００９２】
次に、実施例６の移動部の固定板３１を回転させないで、固定部の発電マグネット２０を移動させるようにした実施例を図面に従って説明する。
図９は実施例６の支軸３２を中心にして固定板３１を回転させる代わりに、反発マグネット３０を有する固定板３１を、支軸３３を中心に往復運動させて移動部を形成し、その影響により固定部の発電マグネットを移動させる構造の移動部を示した斜視図であり、固定部のケース４内部とコンセント３９より出る電線１０の先の取り付けは実施例６と同様であるので省略する。
【００９３】
図９（Ａ）は実施例６の複数あった移動部の固定板３１を１個にして支軸３３を中心に往復運動できるようにし、片側の先端には反発マグネット３０を取り付け、もう片側に引っ張りバネ２１を取り付け、引っ張りバネの片側をベース２４へ固定する。
【００９４】
これにより、固定板３１の右端を矢印３４の方向へ下降して離すと、支軸３３を支点として、反発マグネットがある側の固定板の先端が矢印３５のように、引っ張りバネ２１の影響により数回往復運動する。
この場合、固定板の大きな上昇、下降防止のために、上下にストッパーを取り付けて上昇、下降距離を制御しても良い。
【００９５】
この上下の往復運動の影響を受け、固定部の内パイプ１４内の発電マグネット２０は、反発マグネットが接近しているときは、その両者の反発力により内パイプの左側へ瞬時に移動してコイル１２内を通過し、コイルには電流が流れ、終端の発光ダイオード３を点灯する。
【００９６】
又、反発マグネットが遠ざかるときは、その両者の反発力が弱まり、更に、吸引マグネット１８よりの反発力により、内パイプの右側へ瞬時に移動してコイル内を通過し、コイルには逆向きの電流が流れ、ブリッジダイオード１１の整流により、終端の発光ダイオード３を再点灯し、上下の往復運動が続く限りこの動作を繰り返す。
【００９７】
図９（Ａ）において、移動部の反発マグネットの停止位置を、固定部の発電マグネット２０と最接近させた状態を定位置とした場合、内パイプ１４内の発電マグネットは図１２（Ａ）の右側の位置とは反対側の左側へ移動しており、移動部の反発マグネットの停止位置を、固定部の発電マグネット２０と最も遠ざかる位置を定位置とした場合は、図１２（Ａ）同様、右側の位置へ移動している。
【００９８】
又、図９（Ａ）において、引っ張りバネ２１を固定板３１の上方側だけに取り付けてあるが、対象方向の下側にも同様の構造をなす物を取り付けて動作させても良く、圧縮バネに変更して利用しても良い。
更に、ベース２４の固定ネジ８に取り付けた、引っ張りバネ２１の片側を支軸３３側に取り付け、もう一方を固定板３１の固定ネジ８に取り付けて、動作させても良い。
【実施例８】
【００９９】
次に、実施例７の図９（Ａ）の移動部の固定板３１の代わりに振動棒４２を利用して、固定部の発電マグネット２０を移動させるようにした実施例を図面に従って説明する。
図９（Ｂ）は実施例７の固定板３１と引っ張りバネ２１を取り外し、支軸４３に反発マグネット３０を有する振動棒４２を取り付けて振動棒を往復運動させ、その影響により固定部の発電マグネットを移動させる構造の移動部を示した斜視図であり、固定部のケース４内部とコンセント３９より出る電線１０の先の取り付けは実施例６、７と同様であるので省略する。
【０１００】
図９（Ｂ）は実施例７の図９（Ａ）の移動部の固定板３１と引っ張りバネ２１、支軸３３を取り外し、反発マグネット３０を有する振動棒４２を支軸４３に取り付け、その支軸４３を扉開閉予告装置４０のベース２４に固定し、移動部を形成したものである。
これにより、反発マグネットを有する振動棒を上下に振動させると、支軸４３を支点として、反発マグネットが任意の方向へ振動する。
この場合、振動棒の大幅な上下動防止のために、上下にストッパーを取り付けて上下動する距離を制御しても良い。
【０１０１】
振動棒の往復振動の影響を受け、固定部の内パイプ１４内の発電マグネット２０は、反発マグネットが接近しているときは、その両者の反発力により内パイプの左側へ瞬時に移動してコイル１２内を通過し、コイルには電流が流れ、終端の発光ダイオード３を点灯する。
【０１０２】
又、反発マグネットが遠ざかるときは、その両者の反発力が弱まり、更に、吸引マグネット１８よりの反発力により、内パイプの右側へ瞬時に移動してコイル内を通過し、コイルには逆向きの電流が流れ、ブリッジダイオード１１の整流により、終端の発光ダイオード３を再点灯し、次の反発マグネットの接近で再度内パイプの左側に移動して発電し、これを繰り返す。
【０１０３】
図９（Ｂ）において、移動部の反発マグネットの停止位置を、固定部の発電マグネット２０と最接近させた状態を定位置とした場合、内パイプ１４内の発電マグネットは図１２（Ａ）の右側の位置とは反対側の左側へ移動しており、移動部の反発マグネットの停止位置を、固定部の発電マグネット２０と最も遠ざかる位置を定位置とした場合は、図１２（Ａ）同様、右側の位置へ移動している。
【０１０４】
図９（Ｂ）において使用する振動棒を、ゴム、バネ、板バネ等、一度振動を与えた場合に、複数回の往復運動ができる素材を利用して作成すると、その複数回の振動に併せて固定部の内パイプ１４内の発電マグネット２０を左右に移動させてコイル１２に複数回の電気を発生させることができる。
【実施例９】
【０１０５】
次に移動部のマグネットを移動させて扉の反対側に取り付けた固定部のマグネットに磁界を加え、磁界の変化により固定部のマグネットを移動させるようにした実施例を図面に従って説明する。
【０１０６】
図１０は実施例６の図７の振動発電部を有する固定部と支軸３２を中心に回転する反発マグネット３０を有する移動部を分離して扉の両面に取り付けた断面図であり、コンセント３９よりでる電線１０等、その他の部品は実施例６と同様なので省略してある。
【０１０７】
図１０に示すように、ネジや接着剤等を利用し、実施例６の図７の移動部である反発マグネット３０を有する支軸３２を開き扉１の片側へ取り付け、固定板３１の先端にある反発マグネットを扉の反対側に設置された振動発電部の発電マグネット２０に反発するような向きと極性で取り付ける。
一方で、実施例６の図７の固定部である振動発電部の発電マグネット２０を有するケースを開き扉の反対側へ移動部の反発マグネット３０に反発するような向きと極性で取り付ける。
【０１０８】
振動発電部の内パイプ１４の内部構造は図１２（Ａ）と同様であるが、内パイプの外側にあるコイル１２を２個にし、更に、上下に２個の震動発電部を設け、反対側の個々の反発マグネット３０の回転軌道上に発電マグネットが存在し、両マグネットが反発するように設置する。
【０１０９】
この場合、実施例１同様、コイル１２から出た電線１０は、個々のブリッジダイオード１１の入力側へ繋がれ、出力側のプラスとマイナスをそれぞれ並列に接続する。
その後、抵抗９、発光ダイオード３と発光ダイオードに並列に接続されたコンセント３９へ接続されることにより、実施例１の数倍の電力を得ることができる。
【０１１０】
本実施例では、主に開き扉の材質が非磁性体の物に適用され、扉の片側に取り付けられた反発マグネットを有する移動部の固定板を回転させると、その磁力の移動に伴い、反対側にある固定部の内パイプ内の発電マグネット２０もその磁力の変化により移動する。
【０１１１】
図１２（Ａ）のように、通常、発電マグネット２０は内パイプ１４内の右側にあるが、移動部の固定板が回転し、反発マグネットが反対側の発電マグネットに近づくと、反発マグネットの磁力と発電マグネットの磁力が互いに反発し始め、反発マグネットの最接近に対し、内パイプ内を発電マグネットが瞬時に移動し、図１２（Ａ）のパイプ右側より左側へ移動し、２つのコイル内を瞬時に通過する。この時コイルには電流が流れ、終端の発光ダイオード３を点灯する。
【０１１２】
更に、固定板が回転して反発マグネットが離れていくと、発電マグネットと反発マグネットの反発力から今度は吸引力の力が生まれ、又、内パイプ左側に取り付けた吸引マグネットの反発力により、発電マグネットは瞬時に内パイプ内を右方向へ移動し、２つのコイル内を通過し、コイルには逆向きの電流が流れ、個々のブリッジダイオード１１の整流により、終端の発光ダイオード３を再点灯する。
発電マグネットが右側に移動し、次の反発マグネットの接近で再度内パイプの左側に移動して発電し、これを繰り返す。
【０１１３】
図１０において、偶数個取り付けた反発マグネット３０の極性は固定部の発電マグネット２０に対して、すべて反発しあう極性にしてあるが、反発マグネットの極性を反発と吸引する極性に交互にして固定板を回転させると、発電マグネットは吸引、反発を繰り返して内パイプ内を左右に移動でき、内パイプ内の左側に取り付けた、吸引マグネットを省くことができ、又実施例６同様、発電マグネットの反発移動手段として、図１２（Ｂ）のように、圧縮バネ１６又は引っ張りバネを利用でき、その詳細は実施例６と同様なので省略する。
【０１１４】
更に、反発マグネットの極性を発電マグネットに対し、反発と吸引する極性に交互にし、扉の反対側の内パイプ内の発電マグネットの極性も交互に反発と吸引する極性にすると、移動部の反発マグネットを有する固定板が回転すると、対角線上に交互に反発、吸引しあう為、回転の減衰が低くなり、より長く回転できるようになる。
その他の動作や、取り付け部品、図面の説明内容は実施例１や６と殆ど同様なので省略する。
【０１１５】
本発明の発電方法を利用し、実施例１〜５のように、主にワイヤーを引っ張って発電マグネットの瞬時移動を利用し、扉開閉予告装置を設置して動作させる場合、その取り付け場所で、常に人が瞬時にボタンを素早く押し、ワイヤーを瞬時に引っ張ることができるようなところで使用するときは、発電マグネットの瞬時移動に利用する引っ張りバネや吸引マグネットを取り除き、戻り用の圧縮バネを利用してコイル内を発電マグネットが移動して発電するようにしても良い。
【０１１６】
本発明の発電方法を利用し、扉開閉予告装置４を主に扉に設置して動作させる９例の実施例を図面に従って説明したが、扉開閉予告装置の一部の構造と設置場所を変えると、他の応用例が考えられる。
【０１１７】
例えば実施例６の図７の固定板３１の先端が川の水面に入り、又は雨水が流れる場所に設置し、水流により回転できるような構造にすると小型の水力発電機としての応用も可能となり、又支軸３２にタイミングプーリー等を追加し、そのタイミングプーリーに取り付けた輪になっているベルトを外部より回転させて固定板を回転させる構造にすると、ベルトが回転したときだけ発電する発電機としての応用も可能となる。（図示せず）
【０１１８】
更にこの固定板に羽を付けた扉開閉予告装置を道路脇のガードレール等に取り付けた場合、風が吹けば回転して発電し、その部分を認識させる認識装置としての応用も考えられる。
【符号の説明】
【０１１９】
１    開き扉
２    ノブ
３    発光ダイオード（ＬＥＤ）
４    ケース
５    ワイヤー
６    押しボタン
７    プーリー
８    固定ネジ
９    抵抗
１０    電線
１１    ブリッジダイオード
１２    コイル
１３    ボビン
１４    内パイプ
１５    圧縮バネ
１６    圧縮バネ
１７    接続部材
１８    吸引マグネット
１９    クッション
２０    発電マグネット
２１    引っ張りバネ
２２    矢印
２３    矢印
２４    ベース
２５    おもり
２６    支軸
２７    固定板
２８    ネジ蓋
２９    ワイヤー押さえ
３０    反発マグネット
３１    固定板
３２    支軸
３３    支軸
３４    矢印
３５    矢印
３６    吸引マグネット
３７    調整ネジ
３８    コンデンサー
３９    コンセント
４０    扉開閉予告装置
４１    穴
４２    振動棒
４３    支軸
【図１】
2015126654.tif 000003
【図２】
2015126654.tif 000004
【図３】
2015126654.tif 000005
【図４】
2015126654.tif 000006
【図５】
2015126654.tif 000007
【図６】
2015126654.tif 000008
【図７】
2015126654.tif 000009
【図８】
2015126654.tif 000010
【図９】
2015126654.tif 000011
【図１０】
2015126654.tif 000012
【図１１】
2015126654.tif 000013
【図１２】
2015126654.tif 000014
【図１３】
2015126654.tif 000015